(57)【要約】【課題】別部材を用いることなく第２の風路に空気を流入させて効率よく電動機を冷却できる電動送風機を提供する。【解決手段】フレーム21は、第１のフレーム25と、第２のフレーム26とを備える。第１のフレーム25は、一端側に開口28を有する有底円筒状である。第２のフレーム26は、第２のフレーム本体35、通気孔36、および、ガイド部37を有する。第２のフレーム本体35は、第１のフレーム25の開口28を横切って配置される。通気孔36は、第２のフレーム本体35を貫通して設けられる。ガイド部37は、遠心ファンから吹き出されて通気孔36を通過した空気を第２の風路55に向かって導く。【選択図】図１
2020145836.tif 000002
【特許請求の範囲】
【請求項１】
フレーム、このフレームの内部に配置された枠状の固定子、および、この固定子の内方に配置された回転子を備え、前記フレームと前記固定子との間に第１の風路が形成されるとともに前記固定子と前記回転子との間に前記第１の風路よりも風路断面積が小さい第２の風路が形成される電動機と、
前記回転子と接続されて前記電動機により回転される遠心ファンとを具備し、
前記フレームは、
一端側に開口を有する有底筒状の第１のフレームと、
この第１のフレームの前記開口を横切って配置された第２のフレーム本体、この第２のフレーム本体を貫通して設けられた通気孔、および、前記遠心ファンから吹き出されて前記通気孔を通過した空気を前記第２の風路に向かって導くガイド部を有する第２のフレームとを備えた
ことを特徴とした電動送風機。
【請求項２】
ガイド部は、第１の風路の一部を閉塞し第２の風路に向かって延びるように第２のフレーム本体に突設されている
ことを特徴とした請求項１記載の電動送風機。
【請求項３】
第２のフレーム本体は、通気孔が設けられかつこの通気孔に向かって流れる空気の上流側から下流側へと空気の流れ方向に対して交差する方向に突出するように傾斜した壁部を備えた
ことを特徴とした請求項１または２記載の電動送風機。
【請求項４】
第２のフレーム本体は、通気孔に向かって流れる空気の下流側の縁部に沿ってこの通気孔の外側に向けて空気の流れ方向に対して交差する方向に突設された突出壁部を備えた
ことを特徴とした請求項１ないし３いずれか一記載の電動送風機。
【請求項５】
通気孔およびガイド部は、回転子を挟んで第２のフレーム本体の両端側にそれぞれ設けられた
ことを特徴とした請求項１ないし４いずれか一記載の電動送風機。
【請求項６】
遠心ファンと電動機との間に配置された整流体を具備し、
前記整流体は、
前記遠心ファンにより吹き出された空気を周方向に整流する上流側静翼と、
この上流側静翼により整流された空気を周方向に整流するとともに集約させつつ通気孔に流入させる下流側静翼とを備えた
ことを特徴とした請求項１ないし５いずれか一記載の電動送風機。
【発明の詳細な説明】
【技術分野】
【０００１】
本発明の実施形態は、フレームと固定子との間に第１の風路が形成されるとともに固定子と回転子との間に第１の風路よりも風路断面積が狭い第２の風路が形成される電動機を備えた電動送風機に関する。
【背景技術】
【０００２】
従来、例えば電気掃除機などに用いられる電動送風機は、遠心ファンと、この遠心ファンを回転駆動させる電動機と、これら遠心ファンと電動機との間に介在される整流板とを備えている。電動機は、フレームの内部に固定子であるフィールド組立が配置され、このフィールド組立の内方に回転子(電機子)であるアーマチュア組立が配置されている。また、電動機のフレームは、略有底円筒状のフレーム本体と、このフレーム本体の開口を跨いで取り付けられるフレーム端面板とを備え、フレーム本体とフレーム端面板とでアーマチュア組立を回転自在に軸支保持している。そして、アーマチュア組立に遠心ファンが連結されることでアーマチュア組立とともに遠心ファンが回転し、この回転された遠心ファンから吹き出された空気を整流板により整流してフレームの内部へと流入させることで、電動機の冷却に利用している。
【０００３】
このとき、冷却効率を確保するためには、フレーム本体とフィールド組立との間に区画される外側風路と、フィールド組立とアーマチュア組立との間に区画される内側風路とのそれぞれに空気を流入させることが好ましいものの、内側風路は外側風路と比較して狭いため、内側風路には空気が流れにくい。そこで、外側風路を閉塞する別部材を取り付けることで内側風路に対してより多くの空気を流入させるようにすることが考えられる。しかしながら、この場合、別部材を要することで、質量やコストの増加が避けられない。
【先行技術文献】
【特許文献】
【０００４】
【特許文献１】特開２００４−１５３８９２号公報
【特許文献２】特開２００１−２３４８９７号公報
【発明の概要】
【発明が解決しようとする課題】
【０００５】
本発明が解決しようとする課題は、別部材を用いることなく第２の風路に空気を流入させて効率よく電動機を冷却できる電動送風機を提供することである。
【課題を解決するための手段】
【０００６】
実施形態の電動送風機は、電動機と、遠心ファンとを有する。電動機は、フレーム、このフレームの内部に配置された枠状の固定子、および、この固定子の内方に配置された回転子を備える。また、この電動機は、フレームと固定子との間に第１の風路が形成されるとともに固定子と回転子との間に第１の風路よりも風路断面積が小さい第２の風路が形成される。遠心ファンは、回転子と接続されて電動機により回転される。また、フレームは、第１のフレームと、第２のフレームとを備える。第１のフレームは、一端側に開口を有する有底筒状である。第２のフレームは、第２のフレーム本体、通気孔、および、ガイド部を有する。第２のフレーム本体は、第１のフレームの開口を横切って配置される。通気孔は、第２のフレーム本体を貫通して設けられる。ガイド部は、遠心ファンから吹き出されて通気孔を通過した空気を第２の風路に向かって導く。
【図面の簡単な説明】
【０００７】
【図１】第１の実施形態の電動送風機の電動機を示す斜視図である。
【図２】同上電動機を示す平面図である。
【図３】同上電動送風機の第２のフレームを示す斜視図である。
【図４】同上電動送風機の分解斜視図である。
【図５】同上電動送風機を一部を切り欠いて示す側面図である。
【図６】第２の実施形態の電動送風機の第２のフレームを示す斜視図である。
【図７】同上第２のフレームを示す側面図である。
【図８】第３の実施形態の第２のフレームを示す斜視図である。
【図９】第４の実施形態の電動機を示す斜視図である。
【図１０】同上電動機を示す平面図である。
【発明を実施するための形態】
【０００８】
以下、第１の実施形態の構成を図１ないし図５を参照して説明する。
【０００９】
図１ないし図５において、11は電動送風機を示し、この電動送風機11は、例えば電気掃除機の掃除機本体に収容されて吸塵用の送風動作を行うものである。そして、この電動送風機11は、電動機13と、この電動機13により回転されるファンである遠心ファン14と、これら電動機13と遠心ファン14との間に位置する整流体(整流板)であるディフューザ15と、遠心ファン14を覆って電動機13に取り付けられるファンカバー16とを備えている。
【００１０】
電動機13は、金属製のフレーム21と、このフレーム21に収容された電動機本体22と、フレーム21に取り付けられたブラシ装置23，23とを有している。
【００１１】
フレーム21は、有底円筒状の第１のフレーム25と、この第１のフレーム25に一体的に取り付けられる第２のフレーム26とを備えている。
【００１２】
第１のフレーム25は、遠心ファン14側である一端側に開口28を備えるとともに、外周面に複数の排気口29と、これら排気口29間に位置しブラシ装置23が取り付けられる取付開口30とを備えている。また、この第１のフレーム25には、開口28の外縁部に、ファンカバー16の外周部を受けるファンカバー固定部であるフランジ部31が鍔状に突設されている。さらに、この第１のフレーム25には、電動機本体22を支持するためのモータヘッド部32が他端部である底部に凹設されており、このモータヘッド部32の内部には、(一方の)ベアリング33と、このベアリング33とともに電動機本体22を軸方向(スラスト方向)に付勢するためのスラストばね34とが収容されている。
【００１３】
第２のフレーム26は、第１のフレーム25の開口28を横切って配置された第２のフレーム本体35と、この第２のフレーム本体35を貫通して設けられた通気孔36と、この通気孔36に突設されたガイド部37とを備えている。また、この第２のフレーム26の中央部には、ディフューザ15を保持する円筒状の保持部38が一体に形成されており、この保持部38の内部には、(他方の)ベアリング39が取り付けられている。
【００１４】
第２のフレーム本体35は、例えば金属板をプレス成形して構成されている。この第２のフレーム本体35は、第１のフレーム25の径方向に沿って形成され、第１のフレーム25の開口28に跨って配置されて、この第１のフレーム25に対して両端部が例えばねじ止め固定されている。具体的に、この第２のフレーム本体35は、長尺状の本体部35aと、この本体部35aの両端部に傾斜状に連続する壁部35b，35bと、この壁部35b，35bと連続する被固定部であるねじ止め部35c，35cとを一体に備えている。
【００１５】
本体部35aには、保持部38が中央部に一体に設けられている。すなわち、本体部35aは、保持部38から傾斜状に延びて形成されている。
【００１６】
各壁部35bは、本体部35aから離れるほど、すなわち本体部35aからねじ止め部35cに向かって遠心ファン14と反対側に向けて傾斜するように形成されている。したがって、第２のフレーム本体35は、第１のフレーム25に対して遠心ファン14側に膨出するアーチ状に形成されている。また、各壁部35bは、本体部35aからねじ止め部35cに向かって徐々に拡開するように形成されている。さらに、これら壁部35bの一方に、通気孔36が開口されているとともにガイド部37が突設されている。したがって、第２のフレーム本体35のうち、電動機13の軸方向に対して９０°未満の角度で傾斜する位置、換言すれば、電動機13の軸方向に沿って立ち上がる位置、すなわち遠心ファン14から吹き出されてディフューザ15により整流された空気の流れに対して交差する方向に立ち上がる位置に通気孔36およびガイド部37が設けられている。
【００１７】
そして、これら本体部35aおよび壁部35b，35bは、開口28上に位置している。
【００１８】
また、各ねじ止め部35cは、フランジ部31上に重ねられ、このフランジ部31に対してねじ止め固定されている。なお、第２のフレーム26は、第１のフレーム25に対してねじ止めにより固定されるもの限定されず、例えば開口28の内縁に圧入などによって係止固定されるように形成してもよい。
【００１９】
通気孔36は、ディフューザ15により整流された空気をフレーム21の内部へと導入するものである。この通気孔36は、本実施形態では、例えば四角形状に形成されており、第２のフレーム本体35の一端側、すなわち保持部38に対して一側に配置されている。
【００２０】
ガイド部37は、遠心ファン14から吹き出されて通気孔36を通過した空気を中心軸側である電動機本体22側に導くものである。このガイド部37は、本実施形態では、第２のフレーム本体35(一方の壁部35b)に切り起こし形成されており(図３)、このガイド部37を第２のフレーム本体35(一方の壁部35b)から切り起こした部分が通気孔36となっている。すなわち、このガイド部37は、通気孔36の縁部から中心軸方向に向かって水平状に延びる四角形平板状に形成されている。
【００２１】
また、電動機本体22は、枠状の固定子(ステータ)としてのフィールド組立41と、回転子(ロータ)としての電機子であるアーマチュア組立42とを備えている。
【００２２】
フィールド組立41は、固定子鉄心としての固定子本体である枠状のフィールドコア45に対して絶縁された状態で配置された界磁巻線46によりアーマチュア組立42の回転方向である周方向に複数の固定磁極を形成する。また、このフィールド組立41は、例えば四角形状に形成されており、フレーム21の第１のフレーム25内に圧入されて四隅が保持されている。このため、このフィールド組立41の各辺の外部と第１のフレーム25の内周面との間には、ディフューザ15により整流され第２のフレーム26の通気孔36を通過した空気が通過する第１の風路47が形成されている。すなわち、この第１の風路47は、例えば電動機13(電動送風機11)の軸方向から見てＤ字状に形成され、第１のフレーム25の周方向に互いに離間されて４箇所に配置されている(図２)。各第１の風路47は、フィールド組立41を冷却するためのもので、フレーム21の軸方向に沿ってそれぞれ形成され、下流側が排気口29と連通している。
【００２３】
アーマチュア組立42は、回転中心となる出力軸である回転軸51に、回転子本体としてのアーマチュアコア52と、ブラシ装置23と摺接する整流子(コンミュテータ)53とが一体的に形成されている。また、このアーマチュア組立42は、回転軸51に取り付けられてこの回転軸51と一体に回転する防塵部材54を備えている。そして、このアーマチュア組立42は、回転軸51をベアリング33，39に回転自在に軸支することにより、フィールド組立41の中央部を貫通してフレーム21に取り付けられ、この取り付け状態で、整流子53が、アーマチュアコア52とベアリング33との間に位置し、防塵部材54が、アーマチュアコア52とベアリング39との間にてこのベアリング39に隣接して位置して、回転軸51がベアリング39および保持部38に挿通されてフレーム21の外部へと突出している。また、このアーマチュア組立42の外部とフィールド組立41(フィールドコア45)との間には、第１の風路47と異なりディフューザ15により整流され第２のフレーム26の通気孔36を通過した空気が通過する第２の風路55が形成されている。
【００２４】
回転軸51は、一端側がディフューザ15に挿通され、このディフューザ15から突出する一端部に遠心ファン14が接続されている。
【００２５】
アーマチュアコア52は、回転軸51に固定されたコア部としての電機子コアをなす円柱状の積層鉄心56と、この積層鉄心56に対して絶縁された状態で巻線57が巻き付けられて構成された回転子コイルであるアーマチュアコイル58とを備えている。
【００２６】
積層鉄心56は、例えば磁性体である電磁鋼板を複数積層し結合して略円筒状に構成されている。また、この積層鉄心56の周縁部には、図示しない複数の磁極歯部が周方向に略等間隔に離間されて放射状に突設されている。さらに、この積層鉄心56の中央部には、回転軸51が圧入されている。
【００２７】
巻線57は、他の部分と電気的に接続される位置を除く全体の表面に絶縁皮膜が形成されている。
【００２８】
アーマチュアコイル58は、巻線57に通電することにより、回転によって磁極が切り換わる回転磁極を積層鉄心56に形成するものである。このアーマチュアコイル58を構成する巻線57は、両端が整流子53に電気的に接続され、これら両端間が対応する位置の磁極歯部の間を通って積層鉄心56に対して絶縁された状態で巻き付けられている。したがって、この巻線57は、積層鉄心56の両端側にそれぞれ位置している。換言すれば、この巻線57は、積層鉄心56に対して遠心ファン14側であるベアリング39(防塵部材54)側と、整流子53側であるベアリング33側とに露出して位置している。
【００２９】
そして、第２の風路55は、主としてアーマチュア組立42(アーマチュアコイル58)を冷却するもので、例えば電動機13(電動送風機11)の軸方向から見て保持部38の外周に沿う略円環状に形成されているとともに第２のフレーム26と重なる位置がその他の位置よりも幅広に形成された幅広部55aとなっている(図２の網掛け部分)。この第２の風路55は、下流側が排気口29と連通している。また、この第２の風路55は、風路断面積、すなわち通過する空気の流れ方向と交差(直交)する方向(電動機13(電動送風機11)の軸方向と交差(直交)する方向)に沿う平面での断面積が第１の風路47よりも小さくなっている。すなわち、この第２の風路55は、第１の風路47よりも空気が流れにくく(風路抵抗が大きく)なっている。
【００３０】
整流子53は、アーマチュアコア52に形成される回転磁極を切り換えるものであり、回転軸51の他端部近傍に固定されている。この整流子53は、略円筒状に形成されており、ブラシ装置23と電気的に接続される整流子片62が互いに絶縁されて周方向に複数取り付けられている。そして、これら整流子片62には、巻線57がそれぞれ電気的に接続されている。
【００３１】
防塵部材54は、例えば金属により略円形板状に形成されている。この防塵部材54は、回転軸51の一端側に固定されてベアリング39の他端側に隣接して配置されている。
【００３２】
各ブラシ装置23は、図示しない電源に対して電気的に接続される角柱状のカーボンブラシ71を内部に移動可能に保持しており、このカーボンブラシ71の先端側が整流子53(整流子片62に圧接されて電気的に接続されている。
【００３３】
遠心ファン14は、電動機13のフレーム21から突出するアーマチュア組立42の回転軸51の一端部に連結されている。さらに、この遠心ファン14は、ファンカバー16に対向して、円形状の吸込口73が中央部に形成されている。そして、この遠心ファン14は、スペーサ(スリーブ)74を介してベアリング39(保持部38)に対して離間されており、ワッシャ75，76により挟まれた状態で、回転軸51の一端部に対してナット77により固定されている。
【００３４】
ディフューザ15は、遠心ファン14から外周方向へと吹き出された気流を静圧化して電動機13のフレーム21の内部へと案内するものであり、第２のフレーム26に対してねじ止め固定されることで、電動機13と一体的となっている。このディフューザ15は、略円形板状の整流板本体であるディフューザ本体81の一主面側に上流側静翼82が突設され、このディフューザ本体81の他主面側に下流側静翼83が突設されている。
【００３５】
ディフューザ本体81は、中央部に第２のフレーム26の保持部38が挿通されている。
【００３６】
上流側静翼82は、遠心ファン14から吹き出された空気を周方向に整流するもので、ディフューザ本体81の外縁近傍の位置にて周方向に複数配置され、ファンカバー16に圧接されて、互いに隣接する上流側静翼82間、および、各上流側静翼82とファンカバー16との間に、空気が通過する流路85(図５)を形成している。これら上流側静翼82は、遠心ファン14の外周に対して離間されて対向しているとともに、ファンカバー16の内周に対向して位置している。すなわち、これら上流側静翼82は、遠心ファン14の外周とファンカバー16の内周との間に位置している。また、これら上流側静翼82は、遠心ファン14側から見て、時計回り方向に向かって徐々に外方(左側)に湾曲する渦巻状にそれぞれ配置されている(図４)。
【００３７】
下流側静翼83は、上流側静翼82により整流されて流路85を通過した空気を周方向に沿って整流しつつ回転軸51側である電動機13(フレーム21)の内部へと導くもので、上流側静翼82と交差する方向に沿ってディフューザ本体81の周方向に複数配置され、互いに隣接する下流側静翼83間に、空気が通過する通気路87を形成している。また、これら下流側静翼83は、フレーム21の通気開口および第２のフレーム26の通気孔36と対向している。したがって、通気路87を通過した空気が、通気開口および通気孔36を介して電動機13(フレーム21)の内部へと流入するようになっている。また、これら下流側静翼83は、遠心ファン14側から見て、時計回り方向に待って徐々に内方(内側)に湾曲する渦巻状にそれぞれ配置されている(図４)。したがって、これら下流側静翼83は、上流側静翼82に対して、交差する方向に沿って形成されている。
【００３８】
ファンカバー16は、有蓋円筒状に形成されており、外周縁部が第１のフレーム25のフランジ部31の外縁部に圧入されて固定されている。さらに、このファンカバー16の中央部には、円形状の吸気口91が形成されている。この吸気口91は、円環状のシール部材92を介して遠心ファン14の吸込口73と気密に接続される。
【００３９】
次に、電動送風機11の組み立て方法について説明する。
【００４０】
電動送風機11は、概略として、電動機13を組み立て、この電動機13に対してディフューザ15を固定するとともに電動機13の回転軸51に対して遠心ファン14を固定した後、ファンカバー16により遠心ファン14を覆う。
【００４１】
電動機13の組み立ての際には、まず、予め成形した第１のフレーム25に対して、フィールドコア45に界磁巻線46を絶縁状態で取り付けたフィールド組立41を圧入するとともに、このフィールド組立41に対して、別途組み立てたアーマチュア組立42を挿通し、スラストばね34およびベアリング33を介してアーマチュア組立42の端部を第１のフレーム25に保持する。次いで、ベアリング39を介してアーマチュア組立42の端部を保持しつつ第２のフレーム26を第１のフレーム25に取り付ける。
【００４２】
このとき、第２のフレーム26は、保持部38にベアリング39を圧入しつつ、回動軸51を保持部38に挿通させ、ねじ止め部35c，35cを第１のフレーム25のフランジ部31に重ねてねじ止めする。この結果、ガイド部37が第１の風路47のうちの一つの中央部を覆い、このガイド部37の先端部が第２の風路55に向かってこの第２の風路55の近傍まで延びた位置となる(図２および図３)。
【００４３】
この後、ブラシ装置23を第１のフレーム25に取り付けてカーボンブラシ71を整流子53の整流子片62に圧接させる。
【００４４】
そして、上記のように組み立てた電動送風機11は、電動機13が、通電によりフィールド組立41に固定磁極が形成されるとともに、アーマチュア組立42に回転磁極が形成され、固定磁極と回転磁極との吸引・反発によって、ベアリング33，39で回転自在に保持されたアーマチュア組立42が回転する。このアーマチュア組立42の回転により、ブラシ装置23のカーボンブラシ71と摺接することで電気的に接続される整流子53の整流子片62が切り換わることにより、アーマチュアコイル58の巻線57に流れる電流の向きが切り換わり、回転磁極が反転するため、アーマチュア組立42が連続的に回転する。
【００４５】
このアーマチュア組立42の回転により、回転軸51に固定された遠心ファン14が回転する。そして、この遠心ファン14の回転により、ファンカバー16の吸気口91から空気が吸い込まれ、この空気が吸込口73を介して遠心ファン14内へと吸い込まれ、この遠心ファン14から外周方向へと吹き出される。この後、吹き出された空気はディフューザ15の上流側静翼82によって外周方向へと整流されつつ流路85を通過した後、ファンカバー16の内周側から下流側静翼83によって中心側すなわち回転軸51側へと整流されつつ通気路87を通過し、第２のフレーム26の通気孔36から第１のフレーム25(フレーム21)内へと流入する。このとき、ガイド部37が第１の風路47の一部を覆って第２の風路55の近傍まで延びているので、このガイド部37に沿ってガイドされた空気の一部が第２の風路55へと効率よく流入し、残りの空気が第１の風路47へと流入する。
【００４６】
この空気の流れすなわち気流は、アーマチュア組立42のアーマチュアコア52(アーマチュアコイル58)の巻線57に吹き付けられてアーマチュアコア52(アーマチュアコイル58)を冷却するとともに、フィールド組立41およびブラシ装置23，23などを冷却した後、排気口29から排気風として電動送風機11(フレーム21)の外部に排気される。
【００４７】
上述したように、上記第１の実施形態によれば、第１のフレーム25の開口28を横切って配置された第２のフレーム本体35を貫通する通気孔36を通過した空気を第２の風路55に向かって導くガイド部37を設けたので、別部材を用いることなく、すなわち電動送風機11(電動機13)の部品増に伴うコスト増や重量増を招くことなく、第１の風路47よりも風路断面積が小さい第２の風路55に対しても空気を効率よく流入させて効率よく電動機13を冷却できる。
【００４８】
また、ガイド部37を、第１の風路47の一部を閉塞し第２の風路55に向かって延びるように第２のフレーム本体35に突設したので、通気孔36に流入した空気の第１の風路47への流入を抑制しつつ第２の風路55へとより多く流入させることができ、より効率よく電動機13を冷却できる。
【００４９】
特に、電動機13においては、巻線57に電流が流れているとともに回転によって空気と摩擦が生じることにより、アーマチュアコイル58が最も発熱する部位であるため、第２の風路55へとより確実に空気を流入させることでこのアーマチュアコイル58をより確実に冷却でき、電動機13の冷却効率を向上できる。
【００５０】
次に、第２の実施形態を図６および図７を参照して説明する。なお、上記第１の実施形態と同様の構成および作用については、同一符号を付してその説明を省略する。
【００５１】
この第２の実施形態は、上記第１の実施形態の第２のフレーム26の通気孔36が設けられている壁部35bが、一側から他側へと傾斜しているものである。
【００５２】
より具体的に、壁部35bは、通気孔36に向かって流れる空気の上流側から下流側へと空気の流れ方向に対して交差(直交)する方向(図中の上方向)に突出する(突出量が大きくなる)ように傾斜している。すなわち、ディフューザ15により集約された空気は、螺旋状に導かれることで第２のフレーム26の第２のフレーム本体35と交差(直交)する方向に向かって(図７では右側から左側に向かって)流れるので、壁部35bは、図７では右側から左側へと徐々に上方向に突出するように傾斜している。したがって、この壁部35bに開口された通気孔36は、この通気孔36に向かって流れる空気の上流側から下流側へと空気の流れ方向に対して交差(直交)する方向へと開口面積が大きくなるように形成されている。
【００５３】
そして、遠心ファン14から吹き出された空気はディフューザ15の上流側静翼82によって外周方向へと整流されつつ流路85を通過した後、ファンカバー16の内周側から下流側静翼83によって中心側すなわち回転軸51側へと整流されつつ通気路87を通過し、第２のフレーム26の通気孔36から第１のフレーム25(フレーム21)内へと流入する。このとき、壁部35bを、通気孔36に向かって流れる空気の上流側から下流側へと空気の流れ方向に対して交差(直交)する方向に突出するように傾斜させたので、整流された空気がそのまま通気孔36へと円滑に流れ込み、この通気孔36に設けたガイド部37に沿ってガイドされた空気の一部が第２の風路55へと効率よく流入し、残りの空気が第１の風路47へと流入する。
【００５４】
このように、第１のフレーム25の開口28を横切って配置された第２のフレーム本体35を貫通する通気孔36を通過した空気を第２の風路55に向かって導くガイド部37を設けるなど、上記第１の実施形態と同様の構成を有することにより、上記第１の実施形態と同様の作用効果を奏することができるとともに、壁部35bを通気孔36に向かって流れる空気の上流側から下流側へと空気の流れ方向に対して交差する方向に突出するように傾斜させたので、遠心ファン14から吹き出されディフューザ15により整流された空気を、より容易に通気孔36へと流入させることができ、電動機13の冷却効率をより向上できる。
【００５５】
次に、第３の実施形態を図８を参照して説明する。なお、上記各実施形態と同様の構成および作用については、同一符号を付してその説明を省略する。
【００５６】
この第３の実施形態は、上記第１の実施形態の第２のフレーム26の通気孔36の縁部に、突出壁部95が突設されているものである。
【００５７】
この突出壁部95は、通気孔36に向かって流れる空気の下流側の縁部36aに沿って設けられている。また、この突出壁部95は、縁部36aから、通気孔36の外側(遠心ファン14側)に向けて空気の流れ方向に対して交差(直交)する方向へと突設されている。
【００５８】
そして、遠心ファン14から吹き出された空気はディフューザ15の上流側静翼82によって外周方向へと整流されつつ流路85を通過した後、ファンカバー16の内周側から下流側静翼83によって中心側すなわち回転軸51側へと整流されつつ通気路87を通過し、第２のフレーム26の通気孔36から第１のフレーム25(フレーム21)内へと流入する。このとき、通気孔36の縁部36aに突出壁部95を突設しているので、通気孔36に向かって流れる空気が突出壁部95に衝突しつつ通気孔36へと導かれて通気孔36へと流れ込み、この通気孔36に設けたガイド部37に沿ってガイドされた空気の一部が第２の風路55へと効率よく流入し、残りの空気が第１の風路47へと流入する。
【００５９】
このように、第１のフレーム25の開口28を横切って配置された第２のフレーム本体35を貫通する通気孔36を通過した空気を第２の風路55に向かって導くガイド部37を設けるなど、上記第１の実施形態と同様の構成を有することにより、上記第１の実施形態と同様の作用効果を奏することができるとともに、突出壁部95を、通気孔36に向かって流れる空気の下流側の縁部36aに沿って通気孔36の外側に向けて空気の流れ方向に対して交差する方向に突設しているので、遠心ファン14から吹き出されディフューザ15により整流された空気を、突出壁部95により通気孔36へと導いて通気孔36へとより確実に流入させることができ、電動機13の冷却効率をより向上できる。
【００６０】
なお、上記第３の実施形態の突出壁部95を、上記第２の実施形態と組み合わせてもよい。
【００６１】
次に、第４の実施形態を図９および図１０を参照して説明する。なお、上記各実施形態と同様の構成および作用については、同一符号を付してその説明を省略する。
【００６２】
この第４の実施形態は、上記第１の実施形態の通気孔36およびガイド部37が、アーマチュア組立42を挟んで第２のフレーム本体35の両端側にそれぞれ設けられているものである。
【００６３】
すなわち、保持部38の一側に一方の通気孔36が位置し、保持部38の他側に他方の通気孔36が位置している。同様に、保持部38の一側に一方のガイド部37が位置し、保持部38の他側に他方のガイド部37が位置している。また、一方の通気孔36およびガイド部37と、他方の通気孔36およびガイド部37とは、回転軸51について互いに点対称に配置されている。換言すれば、一方の通気孔36およびガイド部37と、他方の通気孔36およびガイド部37とは、回転軸51の周方向に１８０°回転させた位置に配置されている。
【００６４】
また、ディフューザ15は、下流側静翼83が上流側静翼82により周方向に整流された空気をさらに周方向に整流しつつ集約して各通気孔36へと流入するように形成されている。
【００６５】
より具体的に、ディフューザ15の下流側静翼83の一つは、下流側の端部83aが通気孔36の縁部36a(通気孔36に向かって流れる空気の下流側の縁部36a)に整流面(内面)側が連続するように湾曲されて壁部35bに当接されている。
【００６６】
そして、遠心ファン14から吹き出された空気はディフューザ15の上流側静翼82によって外周方向へと整流されつつ流路85を通過した後、ファンカバー16の内周側から下流側静翼83によって中心側すなわち回転軸51側へと整流されつつ通気路87を通過し、第２のフレーム26の通気孔36から第１のフレーム25(フレーム21)内へと流入する。このとき、下流側静翼83の端部83aが通気孔36の縁部36aと連続するように湾曲されていることで、通気路87を通過した空気が集約されて通気孔36へと流れ込み、この通気孔36に設けたガイド部37に沿ってガイドされた空気の一部が第２の風路55へと効率よく流入し、残りの空気が第１の風路47へと流入する。
【００６７】
このように、第１のフレーム25の開口28を横切って配置された第２のフレーム本体35を貫通する通気孔36を通過した空気を第２の風路55に向かって導くガイド部37を設けるなど、上記第１の実施形態と同様の構成を有することにより、上記第１の実施形態と同様の作用効果を奏することができるとともに、この通気孔36およびガイド部37を、アーマチュア組立42を挟んで第２のフレーム本体35の両端側にそれぞれ設けたので、第２の風路55に流入させる空気量をより増加させることができ、電動機13の冷却効率をより向上できる。
【００６８】
なお、上記第４の実施形態のように、上記第２および第３の実施形態の通気孔36およびガイド部37などを、アーマチュア組立42を挟んで第２のフレーム本体35の両端側にそれぞれ配置してもよい。
【００６９】
さらに、上記第４の実施形態のディフューザ15は、上記第１ないし第３の実施形態に用いてもよい。
【００７０】
また、上記各実施形態において、電動送風機11は、電気掃除機以外でも、例えばブロワなど、任意の機器に用いることができる。
【００７１】
本発明のいくつかの実施形態を説明したが、これらの実施形態は、例として提示したものであり、発明の範囲をこれらの実施形態に限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
11    電動送風機
13    電動機
14    遠心ファン
15    整流体であるディフューザ
21    フレーム
25    第１のフレーム
26    第２のフレーム
28    開口
35    第２のフレーム本体
35b   壁部
36    通気孔
36a   縁部
37    ガイド部
41    固定子としてのフィールド組立
42    回転子としてのアーマチュア組立
47    第１の風路
55    第２の風路
82    上流側静翼
83    下流側静翼
95    突出壁部
【図１】
2020145836.tif 000003
【図２】
2020145836.tif 000004
【図３】
2020145836.tif 000005
【図４】
2020145836.tif 000006
【図５】
2020145836.tif 000007
【図６】
2020145836.tif 000008
【図７】
2020145836.tif 000009
【図８】
2020145836.tif 000010
【図９】
2020145836.tif 000011
【図１０】
2020145836.tif 000012